(57)【特許請求の範囲】
【請求項１】
記録媒体上に記録されるマルチメディア情報ファイルを管理するファイル管理装置であって、
マルチメディア情報の編集結果として、どのマルチメディア情報ファイルをどのように再生するのかを示すファイル再生情報を記述した編集情報ファイルを作成する編集情報ファイル作成部と、
編集結果のマルチメディア情報を構成するマルチメディア情報ファイル及び編集情報ファイルの名称を、該マルチメディア情報との関連付けを明示するように決定するマルチメディア情報ファイル名称決定部とを備えたことを特徴とするファイル管理装置。
【請求項２】
前記請求項１に記載のファイル管理装置において、
編集情報ファイル作成部は、編集を行なっていないマルチメディア情報ファイルに対しても編集情報ファイルを作成し、各マルチメディア情報に対して常に１つの編集情報ファイルを存在させることを特徴とするファイル管理装置。
【請求項３】
前記請求項１又は２に記載のファイル管理装置において、
編集結果のマルチメディア情報に付加するシリアル番号を決定するマルチメディア情報番号決定部と、
編集結果のマルチメディア情報が複数のマルチメディア情報ファイルにより構成される場合に、各マルチメディア情報ファイルを再生する順番を示す再生順番号を決定する再生順番号決定部と、
マルチメディア情報やファイルの属性等を示す属性情報記号列決定部とを備え、
前記マルチメディア情報ファイル名称決定部は、前記マルチメディア情報番号決定部、前記再生順番号決定部、及び前記属性情報記号列決定部で決定されたファイル名構成要素に基づき、ファイル名を決定することを特徴とするファイル管理装置。
【請求項４】
前記請求項１又は２に記載のファイル管理装置において、
編集結果のマルチメディア情報に対応するディレクトリを作成し、結合する場合は、結合を行なったマルチメディア情報ファイルと、対応する編集情報ファイルとをそのディレクトリに移動するとともに、分割する場合は、分割後半部分のマルチメディア情報ファイルと、対応する編集情報ファイルとをそのディレクトリに移動するマルチメディア情報ファイル格納ディレクトリ移動部を備えたことを特徴とするファイル管理装置。
【請求項５】
前記請求項４に記載のファイル管理装置において、
編集結果のマルチメディア情報に付加するシリアル番号を決定するマルチメディア情報番号決定部と、
マルチメディア情報やファイルの属性等を示す属性情報記号列決定部とを備え、
前記マルチメディア情報ファイル名称決定部は、前記マルチメディア情報番号決定部、及び前記属性情報記号列決定部で決定されたファイル名構成要素に基づき、ファイル名を決定することを特徴とするファイル管理装置。
【請求項６】
前記請求項３又は５に記載のファイル管理装置において、
前記属性情報記号列決定部は、決定するマルチメディア情報やファイルの属性等を示す属性情報記号列の部分に、当該マルチメディア情報の撮影モードに応じた文字を割り当てることを特徴とするファイル管理装置。
【請求項７】
記録媒体上に記録されるマルチメディア情報ファイルを管理するファイル管理装置であって、
前記マルチメディア情報ファイルの編集を行うファイル編集部と、
編集後のマルチメディア情報ファイルの制御情報格納部分に、タイムスタンプの補正を行なうためのタイムスタンプオフセット情報を記述するタイムスタンプオフセット情報記述部と、
編集後のマルチメディア情報ファイルの名称を決定するマルチメディア情報ファイル名称決定部とを備えたことを特徴とするファイル管理装置。
【請求項８】
前記請求項７に記載のファイル管理装置において、
マルチメディア情報ファイル名称決定部は、編集の結果、タイムスタンプオフセット情報を付加して独自の拡張をしているマルチメディア情報ファイルにおける拡張子を変更し、通常のマルチメディア情報ファイルとの区別を示すことを特徴とするファイル管理装置。
【請求項９】
前記請求項８に記載のファイル管理装置において、
タイムスタンプオフセット情報記述部は、分割後半部分のマルチメディア情報ファイルに対しては、タイムスタンプオフセット情報の追加を省略することを特徴とするファイル管理装置。
【請求項１０】
前記請求項７乃至９のいずれか１項に記載のファイル管理装置において、
編集結果のマルチメディア情報に付加するシリアル番号を決定するマルチメディア情報番号決定部と、
マルチメディア情報やファイルの属性等を示す属性情報記号列決定部とを備え、
前記マルチメディア情報ファイル名称決定部は、前記マルチメディア情報番号決定部、及び前記属性情報記号列決定部で決定されたファイル名構成要素に基づき、ファイル名を決定することを特徴とするファイル管理装置。
【請求項１１】
前記請求項１０に記載のファイル管理装置において、
前記属性情報記号列決定部は、決定するマルチメディア情報やファイルの属性等を示す属性情報記号列の部分に、当該マルチメディア情報の撮影時モードに応じた文字を割り当てることを特徴とするファイル管理装置。
【発明の詳細な説明】
【０００１】
【発明の属する技術分野】
本発明は、記録媒体上に記録されるマルチメディア情報ファイルを管理するファイル管理装置に関するものである。
【０００２】
【従来の技術】
従来から、音声、動画像等のマルチメディア情報を撮影する機器の場合、ＰＣカードやスマートメディア等のリムーバブルメディアを記録媒体とし、ＤＯＳファイルシステムを利用したファイル記録方式で、マルチメディア情報を蓄積することが一般的である。これは、機器で撮影したファイルを、パーソナルコンピュータ（ＰＣ）上でも再生することを可能とするためである。
【０００３】
そのためには、撮影機器で作成するファイルを、ＰＣ上の再生用ソフトウェア（プレイヤ）で再生を行うことができるフォーマットとすることが必要である。そのようなフォーマットの代表例として、マイクロソフト社製のファイルフォーマットであるＡＳＦ（Ａｄｖａｎｃｅｄ  Ｓｔｒｅａｍｉｎｇ  Ｆｏｒｍａｔ：拡張子ＡＳＦ）や、ＡＶＩファイル（Ａｕｄｉｏ  Ｖｉｄｅｏ  Ｉｎｔｅｒｌｅａｖｉｎｇ：拡張子ＡＶＩ）や、Ａｐｐｌｅ社製のＱｕｉｃｋＴｉｍｅムービーファイル（拡張子ＭＯＶ）などが知られている。
【０００４】
以下の説明では、撮影機器で撮影した音声，動画像の１シーケンスをマルチメディア情報と呼び、マルチメディア情報を格納したファイルをマルチメディア情報ファイルと呼ぶ。
【０００５】
ファイルを蓄積する際に、ファイル名を決定する必要があるが、文字入力手段を持たない撮影機器では、ユーザの意向に沿ったファイル名を付けることはできず、事前に規定した規則に従って、機械的に番号付けを行なっていく。通常、ファイルの名称は、「ファイル名」と「．」と「拡張子」とからなり、ファイル名の部分は、マルチメディア情報に対してシリアルに番号付けを行なったマルチメディア情報番号と、マルチメディア情報やファイルの属性を示す属性情報記号列との組み合わせから構成される。
【０００６】
このマルチメディア情報番号を利用して、撮影機器にて撮影した映像と、記録媒体上でのファイル名との対応を、ユーザに明示することが可能となる。例えば、記録媒体上に記録された映像の代表画面（先頭の画面など）を９画面分割表示して、各々の代表画面の右上角などに、マルチメディア情報番号をオーバーレイ表示することにより、撮影した映像のマルチメディア情報番号が判明する。そして、記録媒体上のファイル名を一覧表示した際に、ファイル名の１要素であるマルチメディア情報番号が列挙されるため、どのファイルがどの映像であるのかとの対応が取れる。
【０００７】
一般的に、これらのマルチメディア情報ファイルは、マルチメディアデータ本体部分とマルチメディアデータを制御する制御情報部分とが結合して１つのファイルとなっている。また、そのマルチメディアデータ本体部分には、音声、動画像などのメディア毎に適切な長さにパケット化されたデータが格納されているが、そのパケットにも、実際のデータに加えて、各パケット毎の制御情報が含まれている。
【０００８】
例えば、前述のＡＳＦでは、マルチメディアデータを制御する制御情報として、ファイルＩＤやサイズ、符号化方式等の情報をファイルの先頭（ヘッダ部）に格納し、データ本体へのランダムアクセスのためのインデックス情報などをファイルの後部（フッタ部）に格納する。また、パケット毎の制御情報としては、パケット内のデータのメディアの種類を示すメディア識別子、データの再生時刻を示すタイムスタンプ、パケットの長さ情報などが含まれる。
【０００９】
このようなファイルで構成されたマルチメディア情報を、撮影機器上で結合する際には、単純にファイルやファイル内のデータ本体部分だけを結合するわけにはいかない。再生時間やパケット数等の制御情報を結合結果の情報に書き換える処理に加えて、各パケットのタイムスタンプを書き換える必要がある。
【００１０】
一例として、再生時間が２分間であるファイルＡの後ろに再生時間が３分間であるファイルＢを結合する場合を考える。例えばファイルＡには、各パケットに０秒、１０秒、２０秒、・・・、１分５０秒とのタイムスタンプが付いており、ファイルＢには、各パケットに０秒、１０秒、２０秒、・・・、２分５０秒とのタイムスタンプが付いていることとする。
【００１１】
この２個のファイルＡ，Ｂを結合する場合には、ファイルＢ内のパケットに対して、各パケットのタイムスタンプを２分０秒、２分１０秒、２分２０秒、・・・、４分５０秒というように付け直す（書き換える）必要がある。
【００１２】
また、マルチメディア情報を撮影機器上で分割する場合にも、制御情報の書き換え処理以外に、各パケットのタイムスタンプを書き換える必要がある。一例として、再生時間が５分間であるファイルＣを、先頭から３分の位置で前後に分割する場合を考える。
【００１３】
この場合は、前半部分の各パケットには、０分０秒、１０秒、２０秒、・・・、２分５０秒との値のタイムスタンプが付加されているため、変更の必要が無い。しかし、後半部分の各パケットには、３分０秒、３分１０秒、３分２０秒、・・、４分５０秒という分割位置時刻から始まるタイムスタンプが付加されているため、この値を、０分０秒、１０秒、２０秒、・・・、１分５０秒という値に書き換える必要がある。
【００１４】
このようなタイムスタンプの書き換え処理は、ＣＰＵパワーが小さい撮影機器で行なうには、非常に時間のかかる作業になってしまう。そのため、結合及び分割などの編集が要求された場合には、編集対象のマルチメディア情報ファイル自体の加工は行なわず、どのマルチメディア情報ファイルをどのように再生するのかを示す情報（以下、ファイル再生情報と呼ぶ）を記述した編集情報ファイルを作成し、その編集情報ファイルを再生時に利用するのが一般的である。
【００１５】
例えば、前述のＡＳＦでは、編集情報ファイルとして、ＡＳＸと呼ばれるメタデータファイルが定義されてある。このＡＳＸファイルでは、複数のファイルを連続して再生する設定を行うことができ、また再生するファイル毎に、どの部分からどの時間分を再生するのかの指定を行うことが可能である。
【００１６】
この編集情報ファイルを利用することにより、結合及び分割などの編集を容易に行うことができる。例えば、ファイルＡとファイルＢとの結合を行なう際には、ファイルＡ全体を再生した後にファイルＢ全体を再生するとのファイル再生情報を記述した編集情報ファイルを作成し、再生時にはその編集情報ファイルを選択することで、ファイルＡ，Ｂを結合した結果の映像を再生することが可能となる。
【００１７】
また、ファイルＣの分割を行う際には、ファイルＣの先頭から分割位置までの再生を行なう編集情報ファイルと、ファイルＣの分割位置からファイルの最後までの再生を行なう編集情報ファイルとを作成し、再生時にはその編集情報ファイルを選択することで、ファイルＣを分割した結果の映像を再生することが可能となる。
【００１８】
図２４は従来技術の概略構成を示すブロック図である。図２４において、１０１はユーザの操作結果から、どのファイルをどのように編集するのかを解析する編集要求解析部、１０７はユーザが要求した編集方法に応じた再生が行なわれるようなファイル再生情報の記述を行なった編集情報ファイルを作成する編集情報ファイル作成部である。
【００１９】
図２５は従来技術による記録媒体上での結合及び分割の編集処理を示すフローチャート、図２６は従来技術による編集処理後のディレクトリ構成を示す説明図である。ここでは、ＡＡ００１．ＤＡＴ，ＡＡ００２．ＤＡＴ，ＡＡ００３．ＤＡＴ，ＡＡ００４．ＤＡＴ，ＡＡ００５．ＤＡＴの５つのマルチメディア情報ファイルが存在している状態から、ＡＡ００２．ＤＡＴとＡＡ００４．ＤＡＴとの結合、及びＡＡ００５．ＤＡＴの分割を行なった状態を示している。
【００２０】
図２５（ａ）に示すように、マルチメディア情報ファイルＡＡ００２．ＤＡＴとＡＡ００４．ＤＡＴとの結合要求が解析された場合は、ＡＡ００２．ＩＮＦという編集情報ファイルを作成する。この編集情報ファイルＡＡ００２．ＩＮＦには、ＡＡ００２．ＤＡＴ全体の再生、ＡＡ００４．ＤＡＴ全体の再生の順に再生をするとのファイル再生情報が記述される。
【００２１】
また、図２５（ｂ）に示すように、マルチメディア情報ファイルＡＡ００５．ＤＡＴの分割要求が解析された場合は、ＡＡ００５．ＩＮＦ及びＡＡ００６．ＩＮＦという編集情報ファイルを作成する。この編集情報ファイルＡＡ００５．ＩＮＦには、ＡＡ００５．ＤＡＴの先頭から分割位置までを再生するとのファイル再生情報が記述され、ＡＡ００６．ＩＮＦには、ＡＡ００５．ＤＡＴの分割位置からファイルの最後までを再生するとのファイル再生情報が記述される。
【００２２】
そして、映像を再生する際、例えば編集情報ファイルＡＡ００２．ＩＮＦを選択すれば、ＡＡ００２．ＤＡＴとＡＡ００４．ＤＡＴとを結合した結果の映像が再生され、編集情報ファイルＡＡ００６．ＩＮＦを選択すれば、ＡＡ００５．ＤＡＴの分割位置以降のマルチメディア情報を再生することができる。
【００２３】
【発明が解決しようとする課題】
しかしながら、上述した従来の技術においては、ユーザが記録媒体をＰＣ上に持っていき、記録媒体内のファイルの一覧を見た際に、編集情報ファイルＡＡ００２．ＩＮＦがマルチメディア情報ファイルＡＡ００２．ＤＡＴとＡＡ００４．ＤＡＴとを参照していることや、編集情報ファイルＡＡ００６．ＩＮＦがマルチメディア情報ファイルＡＡ００５．ＤＡＴを参照していることは判定不可能である。
【００２４】
このため、記録媒体上から、編集したマルチメディア情報に関連するファイルのみを選択してＰＣ上にコピーすることができない。従って、ある映像に関係するファイルだけが必要な場合においても、記録媒体上のファイルを全てＰＣ上にコピーする必要があるという問題があった。
【００２５】
本発明は、上述したような点に鑑みてなされたものであり、編集情報ファイルとマルチメディア情報ファイルとの関連付けをユーザに明示することが可能なファイル管理装置を提供することを目的とする。
【００２６】
【課題を解決するための手段】
本願発明に係るファイル管理装置は、記録媒体上に記録されるマルチメディア情報ファイルを管理するファイル管理装置であって、マルチメディア情報の編集結果として、どのマルチメディア情報ファイルをどのように再生するのかを示すファイル再生情報を記述した編集情報ファイルを作成する編集情報ファイル作成部と、編集結果のマルチメディア情報を構成するマルチメディア情報ファイル及び編集情報ファイルの名称を、該マルチメディア情報との関連付けを明示するように決定するマルチメディア情報ファイル名称決定部とを備えたものである。
【００２７】
これによって、記録媒体内のファイルの一覧を見た際に、マルチメディア情報を構成しているマルチメディア情報ファイル及び編集情報ファイルとの関連付けをユーザに明示することができるため、例えば記録媒体内の編集したマルチメディア情報に関連するファイルのみを、容易に選択してＰＣ上にコピーすることが可能となる。
【００２８】
本願発明に係るファイル管理装置は、編集情報ファイル作成部が、編集を行なっていないマルチメディア情報ファイルに対しても編集情報ファイルを作成し、各マルチメディア情報に対して常に１つの編集情報ファイルを存在させるものである。
【００２９】
これによって、各マルチメディア情報に対して常に１つの編集情報ファイルが存在するため、編集情報ファイルを選択することにより、所望のマルチメディア情報を再生することが可能となる。
【００３０】
本願発明に係るファイル管理装置は、編集結果のマルチメディア情報に付加するシリアル番号を決定するマルチメディア情報番号決定部と、編集結果のマルチメディア情報が複数のマルチメディア情報ファイルにより構成される場合に、各マルチメディア情報ファイルを再生する順番を示す再生順番号を決定する再生順番号決定部と、マルチメディア情報やファイルの属性等を示す属性情報記号列決定部とを備え、前記マルチメディア情報ファイル名称決定部は、前記マルチメディア情報番号決定部、前記再生順番号決定部、及び前記属性情報記号列決定部で決定されたファイル名構成要素に基づき、ファイル名を決定するものである。
【００３１】
これによって、マルチメディア情報を構成するマルチメディア情報ファイルと編集情報ファイルとのマルチメディア情報番号、及び属性情報記号列が同一になり、また、マルチメディア情報ファイルの再生順に再生順番号の値が決定されるため、マルチメディア情報がどのマルチメディア情報ファイルとどの編集情報ファイルとで構成されているかの対応付け、及びマルチメディア情報ファイルの再生順を明確にすることが可能となる。
【００３２】
本願発明に係るファイル管理装置は、編集結果のマルチメディア情報に対応するディレクトリを作成し、結合する場合は、結合を行なったマルチメディア情報ファイルと、対応する編集情報ファイルとをそのディレクトリに移動するとともに、分割する場合は、分割後半部分のマルチメディア情報ファイルと、対応する編集情報ファイルとをそのディレクトリに移動するマルチメディア情報ファイル格納ディレクトリ移動部を備えたものである。
【００３３】
これによって、マルチメディア情報を構成するマルチメディア情報ファイル及び編集情報ファイルを、マルチメディア情報毎に独立したディレクトリに移動させるため、マルチメディア情報がどのマルチメディア情報ファイルとどの編集情報ファイルとで構成されているかの対応付けを明確にすることが可能となる。
【００３４】
本願発明に係るファイル管理装置は、編集結果のマルチメディア情報に付加するシリアル番号を決定するマルチメディア情報番号決定部と、マルチメディア情報やファイルの属性等を示す属性情報記号列決定部とを備え、前記マルチメディア情報ファイル名称決定部は、前記マルチメディア情報番号決定部、及び前記属性情報記号列決定部で決定されたファイル名構成要素に基づき、ファイル名を決定するものである。
【００３５】
これによって、マルチメディア情報を構成するマルチメディア情報ファイルと編集情報ファイルとのマルチメディア情報番号、及び属性情報記号列が同一になるため、マルチメディア情報がどのマルチメディア情報ファイルとどの編集情報ファイルとで構成されているかの対応付けを明確にすることが可能となる。
【００３６】
本願発明に係るファイル管理装置は、前記属性情報記号列決定部が、決定するマルチメディア情報やファイルの属性等を示す属性情報記号列の部分に、当該マルチメディア情報の撮影モードに応じた文字を割り当てるものである。
【００３７】
これによって、撮影時のモードをファイル名に反映することができるため、ファイル名を見るだけで、撮影時のモードを判明することが可能となる。
【００３８】
本願発明に係るファイル管理装置は、記録媒体上に記録されるマルチメディア情報ファイルを管理するファイル管理装置であって、前記マルチメディア情報ファイルの編集を行うファイル編集部と、編集後のマルチメディア情報ファイルの制御情報格納部分に、タイムスタンプの補正を行なうためのタイムスタンプオフセット情報を記述するタイムスタンプオフセット情報記述部と、編集後のマルチメディア情報ファイルの名称を決定するマルチメディア情報ファイル名称決定部とを備えたものである。
【００３９】
これによって、マルチメディア情報は、タイムスタンプオフセット情報を含んだマルチメディア情報ファイル１個で構成されるため、編集情報を別ファイルで記述する必要がなくなり、マルチメディア情報がどのマルチメディア情報ファイルで構成されているかの対応付けを明確にすることが可能となる。
【００４０】
本願発明に係るファイル管理装置は、マルチメディア情報ファイル名称決定部が、編集の結果、タイムスタンプオフセット情報を付加して独自の拡張をしているマルチメディア情報ファイルにおける拡張子を変更し、通常のマルチメディア情報ファイルとの区別を示すものである。
【００４１】
これによって、ファイル名から独自の拡張をしているマルチメディア情報ファイルを判別することができるため、独自の拡張に対応していない再生ソフトで再生を行ってしまうことを防止することが可能となる。
【００４２】
本願発明に係るファイル管理装置は、タイムスタンプオフセット情報記述部が、分割後半部分のマルチメディア情報ファイルに対しては、タイムスタンプオフセット情報の追加を省略するものである。
【００４３】
これによって、タイムスタンプオフセット情報を追加することの作業及びファイル量のオーバーヘッドを軽減することができる。
【００４４】
本願発明に係るファイル管理装置は、編集結果のマルチメディア情報に付加するシリアル番号を決定するマルチメディア情報番号決定部と、マルチメディア情報やファイルの属性等を示す属性情報記号列決定部とを備え、前記マルチメディア情報ファイル名称決定部は、前記マルチメディア情報番号決定部、及び前記属性情報記号列決定部で決定されたファイル名構成要素に基づき、ファイル名を決定するものである。
【００４５】
これによって、マルチメディア情報を構成するマルチメディア情報ファイルのマルチメディア情報番号、及び属性情報記号列を、編集結果に応じて決定するため、マルチメディア情報がどのマルチメディア情報ファイルで構成されているかの対応付けを明確にすることが可能となる。
【００４６】
本願発明に係るファイル管理装置は、前記属性情報記号列決定部が、決定するマルチメディア情報やファイルの属性等を示す属性情報記号列の部分に、当該マルチメディア情報の撮影時モードに応じた文字を割り当てるものである。
【００４７】
これによって、撮影時のモードをファイル名に反映することができるため、ファイル名を見るだけで、撮影時のモードを判明することが可能となる。
【００４８】
【発明の実施の形態】
以下、本発明のファイル管理装置の第１実施形態を、図１乃至図１０とともに説明するが、上記従来例と同一部分には同一符号を付し、その説明は省略する。図１は本実施形態のファイル管理装置における概略構成を示すブロック図である。図１において、１０１はユーザの操作結果から、どのファイルをどのように編集するのかを解析する編集要求解析部、１０２は編集結果のマルチメディア情報に付加するマルチメディア情報番号を決定するマルチメディア情報番号決定部である。
【００４９】
１０３はマルチメディア情報が複数のマルチメディア情報ファイルで構成されている場合に各ファイルの再生の順番を示す再生順番号を決定する再生順番号決定部、１０４はマルチメディア情報やファイルの属性等を示す属性情報記号列を決定する属性情報記号列決定部、１０５は分割が要求された場合に、マルチメディア情報ファイルの分割を行い、ファイルサイズや再生時間等の制御情報を書き換えるマルチメディア情報ファイル分割部である。
【００５０】
１０６はマルチメディア情報番号決定部１０２、再生順番号決定部１０３及び属性情報記号列決定部１０４で決定された各々の要素から、ファイル名を決定するマルチメディア情報ファイル名称決定部、１０７はマルチメディア情報ファイル名称決定部１０６で命名したファイルに関するファイル再生情報の記述を行った編集情報ファイルを作成する編集情報ファイル作成部である。
【００５１】
図２は本実施形態によるマルチメディア情報ファイル及び編集情報ファイルの命名例を示す説明図である。図２において、マルチメディア情報ファイル及び編集情報ファイルの名称は、「ファイル名」と「．」と「拡張子」とから構成され、ファイル名は、マルチメディア情報番号、再生順番号、属性情報記号列から構成される。
【００５２】
実際のマルチメディア情報ファイルのフォーマットは、前述のＡＳＦファイル（拡張子ＡＳＦ）であったリ、ＡＶＩファイル（拡張子ＡＶＩ）であったり、ＱｕｉｃｋＴｉｍｅムービーファイル（拡張子ＭＯＶ）であるかも知れない。本実施形態においては、いずれか１つに限定するわけではないので、拡張子ＤＡＴをマルチメディア情報ファイルとし、拡張子ＩＮＦを編集情報ファイルとして、以下の説明を行う。
【００５３】
マルチメディア情報番号とは、マルチメディア情報番号決定部１０２にて決定され、撮影した映像に対して割り振られるシリアル番号である。このシリアル番号を基に、撮影した映像と記録媒体上のファイルとの対応付けを行なう。
【００５４】
再生順番号とは、再生順番号決定部１０３にて決定され、複数のマルチメディア情報ファイルから構成されたマルチメディア情報において、そのマルチメディア情報ファイルの再生の順番を示している。本例では、「＿１」，「＿２」のように、数字順で表したが、「＿Ａ」，「＿Ｂ」，「＿Ｃ」，・・・，「＿Ｚ」のように、アルファベット順でも良いし、「＿１」，「＿２」，・・・，「＿９」，「＿Ａ」，「＿Ｂ」，・・・，「＿Ｚ」のように、数字順とアルファベット順とを組み合わせても良い。
【００５５】
また、「＿１」，「＿２」のように、「＿」を先頭に付けてマルチメディア情報番号と再生順番号との区別を容易にしているが、この記号は別の記号でも良いし、無くても良い。さらに、結合を行なっていない場合のように、マルチメディア情報がマルチメディア情報ファイル１つから構成される場合は、再生順番号が自体が無くても良いし、先頭を意味する番号（本例では「＿１」）をファイル名に入れても良い。
【００５６】
属性情報記号列は、属性情報記号列決定部１０４にて決定され、マルチメディア情報やファイルの属性をファイル名に持たせる場合のために用いられる。また、図２においては、「ＡＡ００２＿１．ＤＡＴ」のように、属性情報記号列、マルチメディア情報番号、再生順番号、の順番でファイル名を構成したが、これらの順番はどの順でも良いし、それらの情報を何文字で示しても良い。
【００５７】
図３は本実施形態によるマルチメディア情報の結合例を示す説明図である。ここでは、マルチメディア情報ファイルＡＡ００２．ＤＡＴとＡＡ００４．ＤＡＴとを結合する場合を例として説明する。ＡＡ００２．ＤＡＴとＡＡ００４．ＤＡＴとの結合要求に対して、編集情報ファイル作成部１０７にて、ＡＡ００２の名前（マルチメディア情報番号）を継承した、ＡＡ００２．ＩＮＦという名称の編集情報ファイルを作成する。
【００５８】
また、各々のマルチメディア情報ファイルは、ＡＡ００２．ＩＮＦとの関連を明示するため、マルチメディア情報ファイル名称決定部１０６にて、ファイル名をＡＡ００２．ＤＡＴからＡＡ００２＿１．ＤＡＴに、ＡＡ００４．ＤＡＴからＡＡ００２＿２．ＤＡＴに変更する。ここでは、名称の変更を行なうだけで、中身の変更は行わない。
【００５９】
この結果、各々のファイル名は、ＡＡ００２．ＩＮＦとＡＡ００２＿１．ＤＡＴとＡＡ００２＿２．ＤＡＴという名称になり、これら３個のファイルから、マルチメディア情報００２を構成していることを、ユーザに明示することができる。また、マルチメディア情報番号の後に続く、再生順番号、ここでは、「＿１」，「＿２」の部分で、マルチメディア情報ファイルの再生順も、ユーザに明示することができる。
【００６０】
この新たに作成した編集情報ファイルＡＡ００２．ＩＮＦには、ファイル再生情報として、ＡＡ００２＿１．ＤＡＴのファイル全体を再生し、その後、ＡＡ００２＿２．ＤＡＴのファイル全体を再生する、という情報が記述されている。尚、ここでは、結合時に継承するマルチメディア情報番号を、結合後に前方に位置する００２番としたが、結合するファイルの中でマルチメディア情報番号の若い方の番号を継承することとしても良い。
【００６１】
図４は本実施形態によるマルチメディア情報の分割例を示す説明図である。ここでは、マルチメディア情報ファイルＡＡ００５．ＤＡＴを先頭から３分の位置で分割する場合を例として説明する。また、「００６」のマルチメディア情報番号を持ったファイルが、記録対象の記録媒体に存在していないと仮定する。このような仮定を、以下においては、マルチメディア情報番号００６が空き番号であると表現する。
【００６２】
マルチメディア情報ファイルＡＡ００５．ＤＡＴへの分割要求に対し、マルチメディア情報ファイル分割部１０５にて、ＡＡ００５．ＤＡＴのデータ本体を分割位置時刻の３分に対応する部分にて分割し、マルチメディア情報ファイル名称決定部１０６にて、前半のファイル名をＡＡ００５．ＤＡＴとし、後半のファイル名を空きマルチメディア情報番号に対応するＡＡ００６．ＤＡＴとする。この分割後のファイルは、ファイルサイズや再生時間などの各々のヘッダ部及びフッタ部に記述する制御情報に関して、正しい値に設定し直される。
【００６３】
各パケットに付加されたタイムスタンプに関して、分割前半部分に相当するＡＡ００５．ＤＡＴは、０秒から始まる正しい値が設定されているが、分割後半部分に相当するＡＡ００６．ＤＡＴは、分割位置の時刻である３分から始まる値が設定されている。この補正を行なうために、編集情報ファイル作成部１０７にて、編集情報ファイルＡＡ００６．ＩＮＦを作成する。
【００６４】
このＡＡ００６．ＩＮＦには、マルチメディア情報ファイルＡＡ００６．ＤＡＴの分割位置時刻である３分からファイルの最後までを再生するというファイル再生情報が記述されている。ここでは、前半部分のファイルとして、分割前のファイルの名前を継承したが、前半部分、後半部分の両方とも空きマルチメディア情報番号に対応したファイル名を命名しても良い。
【００６５】
ＤＯＳファイルシステムにおいては、ファイル名称の他に、ファイル作成時刻も格納することができる。結合や分割に伴って作成される編集情報ファイルには、編集時刻の情報が格納されるが、ファイル名称を変更しただけであるマルチメディア情報ファイルの作成時刻情報は更新されない。
【００６６】
名称変更を行なったマルチメディア情報ファイルのファイル作成時刻情報も、編集の際に変更することにより、編集情報ファイルと対応するマルチメディア情報ファイルの作成時刻が統一されるため、ファイル名のみならず、ファイル作成時刻からもその対応付けを明確にしても良いし、マルチメディア情報ファイルの作成時刻は、そのファイル内のマルチメディア情報を作成した時刻を示すために、編集時に更新しないこととしても良い。
【００６７】
図５は本実施形態による記録媒体上での結合及び分割の編集処理を示すフローチャート、図６は本実施形態による編集処理後のディレクトリ構成例を示す説明図である。ここでは、ＡＡ００１．ＤＡＴ，ＡＡ００２．ＤＡＴ，ＡＡ００３．ＤＡＴ，ＡＡ００４．ＤＡＴ，ＡＡ００５．ＤＡＴの５つのマルチメディア情報ファイルが存在している状態から、ＡＡ００２．ＤＡＴとＡＡ００４．ＤＡＴとの結合、及びＡＡ００５．ＤＡＴの分割を行なった状態を示している。
【００６８】
図５（ａ）に示すように、マルチメディア情報ファイルＡＡ００２．ＤＡＴとＡＡ００４．ＤＡＴとの結合に関しては、図３とともに説明したとおり、編集情報ファイルＡＡ００２．ＩＮＦが作成され、ＡＡ００２．ＤＡＴはＡＡ００２＿１．ＤＡＴに名称変更され、ＡＡ００４．ＤＡＴはＡＡ００２＿２．ＤＡＴに名称変更される。
【００６９】
また、図５（ｂ）に示すように、マルチメディア情報ファイルＡＡ００５．ＤＡＴの分割に関しては，図４とともに説明したとおり、ＡＡ００５．ＤＡＴがＡＡ００５．ＤＡＴとＡＡ００６．ＤＡＴとに分割され、編集情報ファイルＡＡ００６．ＩＮＦが作成される。
【００７０】
図７は結合済みのマルチメディア情報をさらに結合する場合の例を示す説明図である。一方の結合済みのマルチメディア情報は、編集情報ファイルＡＡ００２．ＩＮＦ、マルチメディア情報ファイルＡＡ００２＿１．ＤＡＴとＡＡ００２＿２．ＤＡＴとＡＡ００２＿３．ＤＡＴとから構成されており、他方の結合済みのマルチメディア情報は、編集情報ファイルＡＡ００６．ＩＮＦ、マルチメディア情報ファイルＡＡ００６＿１．ＤＡＴとＡＡ００６＿２．ＤＡＴとから構成されている。
【００７１】
この双方のマルチメディア情報を結合する場合は、マルチメディア情報番号００２番を継承し、ＡＡ００２＿１．ＤＡＴとＡＡ００２＿２．ＤＡＴとＡＡ００２＿３．ＤＡＴとに対しては、名称の変更を行なわず、ＡＡ００６＿１．ＤＡＴをＡＡ００２＿４．ＤＡＴに、ＡＡ００６＿２．ＤＡＴをＡＡ００２＿５．ＤＡＴに名称変更する。
【００７２】
そして、新たに作成される編集情報ファイルＡＡ００２．ＩＮＦには、再生順がＡＡ００２＿１．ＤＡＴ、ＡＡ００２＿２．ＤＡＴ、ＡＡ００２＿３．ＤＡＴ、ＡＡ００２＿４．ＤＡＴ、ＡＡ００２＿５．ＤＡＴの順であることを示すファイル再生情報が記述される。
【００７３】
図８は結合済みのマルチメディア情報を分割する場合の例を示す説明図である。結合済みであるマルチメディア情報は、編集情報ファイルＡＡ００２．ＩＮＦ、マルチメディア情報ファイルＡＡ００２＿１．ＤＡＴとＡＡ００２＿２．ＤＡＴとＡＡ００２＿３．ＤＡＴとから構成されており、ＡＡ００２＿２．ＤＡＴの先頭から３分の位置での分割要求がなされた場合を示している。
【００７４】
この場合は、まずマルチメディア情報ファイルＡＡ００２＿２．ＤＡＴの分割を行ない、前半部分（先頭から３分までのデータ）はＡＡ００２＿２．ＤＡＴの名称をそのままとし、後半部分（３分から最後までのデータ）を空きマルチメディア情報番号に対応するＡＡ００６＿１．ＤＡＴとする。ＡＡ００２＿３．ＤＡＴは名称をＡＡ００６＿２．ＤＡＴに変更する。
【００７５】
そして、編集情報ファイルＡＡ００２．ＩＮＦには、再生順がＡＡ００２＿１．ＤＡＴ、ＡＡ００２＿２．ＤＡＴの順であることを示すファイル再生情報が記述され、新規に作成するＡＡ００６．ＩＮＦには、ＡＡ００６＿１．ＤＡＴの分割位置時刻からファイル最後までの再生、ＡＡ００２＿２．ＤＡＴ全体の再生の順であることを示すファイル再生情報が記述される。
【００７６】
ファイルを結合する際に、例えば、マルチメディア情報ファイルＡＡ００２．ＤＡＴとＡＡ００４．ＤＡＴとの結合、及びマルチメディア情報ファイルＡＡ００３．ＤＡＴとＡＡ００４．ＤＡＴとの結合が求められた場合のように、結合要求が重複するファイルが発生する場合がある。この場合は、重複するファイルであるＡＡ００４．ＤＡＴを複製することで編集が可能となる。
【００７７】
この例の場合では、ＡＡ００２．ＤＡＴをＡＡ００２＿１．ＤＡＴに、ＡＡ００４．ＤＡＴをＡＡ００２＿２．ＤＡＴに名称変更し、編集情報ファイルＡＡ００２．ＩＮＦを作成する。そして、ＡＡ００３．ＤＡＴをＡＡ００３＿１．ＤＡＴに名称変更してから、旧名ＡＡ００４．ＤＡＴのコピーを作成し、名称をＡＡ００３＿２．ＤＡＴとする。そして、編集情報ファイルＡＡ００３．ＩＮＦを作成する。
【００７８】
このような処理により、結合時に重複するファイルが発生しても、編集処理を行うことが可能になる。
【００７９】
図９はマルチメディア情報ファイルを結合する際のフローチャートである。まず、ステップＳ１では、ユーザが結合を希望したファイル及び結合方法を解析する。ステップＳ２では、結合後のマルチメディア情報を構成するファイルで統一して使われるマルチメディア情報番号及び属性情報記号列を決定する。
【００８０】
ステップＳ３では、結合後に先頭に位置するマルチメディア情報ファイルの再生順番号を決定する。ステップＳ４では、編集情報ファイルのファイル名を決定する。ステップＳ５では、マルチメディア情報ファイルの名称を、決定したファイル名に変更する。ステップＳ６では、編集情報ファイルにファイル再生情報の記述の追加を行なう。
【００８１】
ステップＳ７では、ファイルの結合が全て終了したか否かの判定を行う。結合が終了していない場合は、ステップＳ８に移行し、次に位置するマルチメディア情報ファイルの再生順番号を決定し、再度ステップＳ５及びＳ６を実行し、ステップＳ７でのファイルの結合が全て終了したか否かの判定に戻る。このステップ７にて、結合が終了したとの判定をすると、処理を終了する。
【００８２】
また、図１０はマルチメディア情報ファイルを分割する際のフローチャートである。まず、ステップＳ１では、ユーザが分割を希望したファイル及び分割方法を解析する。ステップＳ２では、分割後のマルチメディア情報ファイルのファイル名を各々決定する。ファイル名は、マルチメディア情報番号、再生順番号、属性情報記号列を決定することで一意に決定する。
【００８３】
ステップＳ３では、マルチメディア情報ファイルを分割位置で分割し、各々のファイルのヘッダ部及びフッタ部に記述する制御情報を書き換える。ステップＳ４では、分割後半部分などの編集情報ファイルが必要な部分に関しての編集情報ファイルを作成した後、処理を終了する。
【００８４】
次に、本発明のファイル管理装置の第２実施形態を、図１１及び図１２とともに説明するが、上記第１実施形態と同一部分には同一符号を付し、その説明は省略する。図１１は本実施形態による結合及び分割の編集処理を示すフローチャート、図１２は本実施形態による編集処理後のディレクトリ構成例を示す説明図である。
【００８５】
本実施形態においては、結合や分割などの編集処理を行なっていないマルチメディア情報であっても、編集情報ファイルを作成する。ここでは、ＡＡ００１．ＤＡＴとＡＡ００１．ＩＮＦ，ＡＡ００２．ＤＡＴとＡＡ００２．ＩＮＦ，ＡＡ００３．ＤＡＴとＡＡ００３．ＩＮＦ，ＡＡ００４．ＤＡＴとＡＡ００４．ＩＮＦ，ＡＡ００５．ＤＡＴとＡＡ００５．ＩＮＦの５つのマルチメディア情報が存在している状態から、ＡＡ００２．ＤＡＴとＡＡ００４．ＤＡＴとの結合、及びＡＡ００５．ＤＡＴの分割を行なった状態を示している。
【００８６】
図１１（ａ）に示すように、マルチメディア情報ファイルＡＡ００２．ＤＡＴとＡＡ００４．ＤＡＴとの結合要求を受けた場合、マルチメディア情報ファイル名称決定部１０６にて、ＡＡ００２．ＤＡＴをＡＡ００２＿１．ＤＡＴに名称変更し、ＡＡ００２．ＩＮＦを消去するとともに、ＡＡ００４．ＤＡＴをＡＡ００２＿２．ＤＡＴに名称変更し、ＡＡ００４．ＩＮＦを消去する。そして、編集情報ファイル作成部１０７にて、新たな編集情報ファイルＡＡ００２．ＩＮＦが作成される。
【００８７】
また、図１１（ｂ）に示すように、マルチメディア情報ファイルＡＡ００５．ＤＡＴの分割要求を受けた場合、マルチメディア情報ファイル分割部１０５にて、ＡＡ００５．ＤＡＴはＡＡ００５．ＤＡＴとＡＡ００６．ＤＡＴとに分割され、新たに編集情報ファイルＡＡ００５．ＩＮＦとファイルＡＡ００６．ＩＮＦとが作成される。
【００８８】
すなわち、結合や分割などを行なっていないマルチメディア情報であっても、編集情報ファイルを作成することにより、ＰＣで再生する際に、ある場合は、マルチメディア情報ファイルの拡張子を持ったファイルを選択し、ある場合は、編集情報ファイルの拡張子をもったファイルを選択するといった複雑な操作体系でなく、どのような場合でも、編集情報ファイルの拡張子をもったファイルを選択すれば、所望のマルチメディア情報が再生されるというように、操作を簡略にすることが可能となる。
【００８９】
次に、本発明のファイル管理装置の第３実施形態を、図１３乃至図１５とともに説明するが、上記第１実施形態と同一部分には同一符号を付し、その説明は省略する。図１３は本実施形態のファイル管理装置における概略構成を示すブロック図である。
【００９０】
図１３において、１０８はマルチメディア情報ファイル格納ディレクトリ移動部であり、ファイルを格納するディレクトリを作成し、結合の場合は、結合結果のマルチメディア情報を構成するマルチメディア情報ファイルと編集情報ファイルとをそのディレクトリに移動し、分割の場合は、分割後半部分のマルチメディア情報を構成するマルチメディア情報ファイルと編集情報ファイルとをそのディレクトリに移動する。
【００９１】
図１４は本実施形態による記録媒体上での結合及び分割の編集処理を示すフローチャート、図１５は本実施形態による編集処理後のディレクトリ構成例を示す説明図である。ここでは、ＡＡ００１．ＤＡＴ，ＡＡ００２．ＤＡＴ，ＡＡ００３．ＤＡＴ，ＡＡ００４．ＤＡＴ，ＡＡ００５．ＤＡＴの５つのマルチメディア情報ファイルが存在している状態から、ＡＡ００２．ＤＡＴとＡＡ００４．ＤＡＴとの結合、及びＡＡ００５．ＤＡＴの分割を行なった状態を示している。
【００９２】
図１４（ａ）に示すように、マルチメディア情報ファイルＡＡ００２．ＤＡＴとＡＡ００４．ＤＡＴとの結合要求に対しては、マルチメディア情報ファイル格納ディレクトリ移動部１０８にて、新規のディレクトリを作成し、マルチメディア情報番号００２を継承して、ＤＩＲ００２と命名する。そして、マルチメディア情報ファイルＡＡ００２．ＤＡＴとＡＡ００４．ＤＡＴを、その新たに作成したディレクトリに移動する。
【００９３】
さらに、編集情報ファイル作成部１０７にて、先頭に位置するマルチメディア情報ファイルＡＡ００２．ＤＡＴとファイル名が同一で拡張子が異なるＡＡ００２．ＩＮＦとマルチメディア情報ファイル名称決定部１０６により命名された編集情報ファイルを作成し、そのファイルには、ファイル再生情報として、ＡＡ００２．ＤＡＴ全体の再生の次に、ＡＡ００４．ＤＡＴ全体を再生する、という情報が記述される。
【００９４】
以上の処理によって、結合した後のマルチメディア情報を構成する３個のファイルが同一ディレクトリに収まるため、この３個のファイルからマルチメディア情報番号００２が構成されていることを、ユーザに明示することができる。
【００９５】
また、図１４（ｂ）に示すように、マルチメディア情報ファイルＡＡ００５．ＤＡＴの分割要求に対しては、ＡＡ００５．ＤＡＴのデータ本体を分割位置にて分割し、前半部分をＡＡ００５．ＤＡＴとし、後半部分を空きマルチメディア情報番号であるＡＡ００６．ＤＡＴとする。さらに、各々のヘッダ部及びフッタ部に記述する制御情報を正しい値に設定し直す。
【００９６】
各パケットに付加されたタイムスタンプに関しては、分割前半部分に相当するＡＡ００５．ＤＡＴは、正しい値が設定されているが、分割後半部分に相当するＡＡ００６．ＤＡＴは、分割位置時刻からのタイムスタンプが設定されている。この補正を行なうために、編集情報ファイルＡＡ００６．ＩＮＦを作成する。
【００９７】
このＡＡ００６．ＩＮＦには、マルチメディア情報ファイルＡＡ００６．ＤＡＴの分割位置時刻からファイルの最後までを再生する、というファイル再生情報が記述される。そして、新規のディレクトリを作成し、マルチメディア情報番号００６を継承してＤＩＲ００６と命名し、この新規ディレクトリの中に、ＡＡ００６．ＤＡＴとＡＡ００６．ＩＮＦとを移動する。
【００９８】
以上の処理によって、分割後半部分のマルチメディア情報を構成するマルチメディア情報ファイルと編集情報ファイルとだけが格納されたディレクトリができるため、この２個のファイルでマルチメディア情報番号００６が構成されていることを、ユーザに明示することができる。
【００９９】
次に、本発明のファイル管理装置の第４実施形態を、図１６乃至図２１とともに説明するが、上記第１実施形態と同一部分には同一符号を付し、その説明は省略する。図１６は本実施形態のファイル管理装置における概略構成を示すブロック図である。
【０１００】
図１６において、１０９はマルチメディア情報ファイルの分割地点及び結合地点におけるタイムスタンプの補正を行なうためのタイムスタンプオフセット情報を、マルチメディア情報ファイルの制御情報格納部分に付加するタイムスタンプオフセット情報記述部である。
【０１０１】
１１０はマルチメディア情報ファイルの分割及び結合を行い、独自の拡張を行なったマルチメディア情報ファイルを作成するマルチメディア情報ファイル分割結合部である。
【０１０２】
図１７は本実施形態におけるマルチメディア情報ファイルの制御情報格納部分に付加するタイムスタンプオフセット情報のフォーマット例を示す説明図である。オフセット追加位置とは、タイムスタンプにオフセットの付加を開始する位置を示す。この情報は、ファイルの先頭からのバイト数などの物理的位置で示しても良いし、パケット番号などの間接的に位置を示しても良い。
【０１０３】
オフセット値は、タイムスタンプに付加するオフセットの値を示す。この情報は正の値、負の値の両方の場合がある。タイムスタンプオフセット情報要素数は、付加するオフセットの数を示す。
【０１０４】
図１８は本実施形態によるマルチメディア情報の分割の例を示す説明図である。ここでは、マルチメディア情報ファイルＡＡ００５．ＤＡＴを先頭から３分の位置で分割する例について説明する。ＡＡ００５．ＤＡＴへの分割要求に対し、マルチメディア情報ファイル分割結合部１１０にて、ＡＡ００５．ＤＡＴのデータ本体を分割位置にて分割し、マルチメディア情報ファイル名称決定部１０６にて、前半部分のファイル名称をＡＡ００５．ＤＡＴとし、後半部分のファイル名称を空きマルチメディア情報番号に対応するＡＡ００６．ＤＡＴとする。
【０１０５】
この分割後の２個のファイルは、ファイルサイズや再生時間などの各々のヘッダ部及びフッタ部に記述する制御情報に関して、正しい値に設定し直される。各パケットに付加されたタイムスタンプに関しては、分割前半部分に相当するＡＡ００５．ＤＡＴは、０秒から始まる正しい値が設定されているが、分割後半部分に相当するＡＡ００６．ＤＡＴは、分割位置の時刻である３分から始まる値が設定されている。
【０１０６】
この補正を行なうために、ＡＡ００６．ＤＡＴの制御情報を記述するヘッダ部に、新たにタイムスタンプオフセット情報を持たせ、先頭のパケットから全てのパケットのタイムスタンプに−３分の値を加えた値を真のタイムスタンプとする、という情報を、タイムスタンプオフセット情報記述部１０９により追加する。
【０１０７】
このような情報を設定する個所が、正規のマルチメディア情報ファイルの制御情報を格納する部分には無い。そこで、拡張子を例えばＤＡＺと変えることにより、正規のマルチメディア情報ファイルから独自の拡張をしていることを、ユーザに明示することができる。
【０１０８】
尚、タイムスタンプオフセット情報要素数が１、オフセット追加位置がファイルの先頭、オフセット値が先頭のデータのタイムスタンプの値をマイナスにしたものの場合は、タイムスタンプオフセット情報の追加を省略しても良い。この取り決めにより、正規のマルチメディア情報ファイルを分割した後半部分のファイルに関しては、タイムスタンプオフセット情報の追加を省略することが可能となるため、情報を追加することの作業及びファイル量のオーバーヘッドを軽減することができる。
【０１０９】
例えば、正規のマルチメディア情報ファイルを２分割した場合、後半部分のファイルに関しては、再生時間やパケット数などの制御情報を書き換えた後に、新たにタイムスタンプオフセット情報を制御情報格納部分に追加して、ファイル名の拡張子部分を変更する必要があった。しかし、上記のような取り決めによって、再生時間やパケット数などの制御情報を書き換えた後に、ファイル名の拡張子部分を変更するだけで良いので、タイムスタンプオフセット情報を追加する作業が不要となり、その分のファイル量の増加も防ぐことが可能となる。
【０１１０】
また、図１９は本実施形態によるマルチメディア情報の結合の例を示す説明図である。ここでは、マルチメディア情報ファイルＡＡ００２．ＤＡＴとＡＡ００４．ＤＡＴとを結合する場合を例として説明する。この結合要求に対して、ＡＡ００２．ＤＡＴのデータ本体部分の後ろに、ＡＡ００４．ＤＡＴのデータ本体部分を付加する。この結合後のファイルは、ファイルサイズや再生時間などの各々のヘッダ部及びフッタ部に記述する制御情報に関して、正しい値に設定し直される。
【０１１１】
各パケットに付加されたタイムスタンプに関しては、前半の結合部分までの値は正確なものであるが、結合部分以降のタイムスタンプは０秒から始まる値が設定されてしまう。そこで、この補正を行なうために、ＡＡ００２．ＤＡＴのヘッダ部に、タイムスタンプオフセット情報を持たせ、結合部分のパケット以降のパケットのタイムスタンプに＋３分の値を加えた値を真のタイムスタンプとする、という情報を入れる。
【０１１２】
このような情報を設定する個所が、正規のマルチメディア情報ファイルの制御情報を格納する部分には無い。そこで、拡張子を例えばＤＡＺと変えることによって、正規のマルチメディア情報ファイルから独自の拡張をしていることを、ユーザに明示することができる。
【０１１３】
図２０は本実施形態による結合及び分割の編集処理を示すフローチャート、図２１は本実施形態による編集処理後のディレクトリ構成例を示す説明図である。ここでは、ＡＡ００１．ＤＡＴ，ＡＡ００２．ＤＡＴ，ＡＡ００３．ＤＡＴ，ＡＡ００４．ＤＡＴ，ＡＡ００５．ＤＡＴの５つのマルチメディア情報ファイルが存在している状態から、ＡＡ００２．ＤＡＴとＡＡ００４．ＤＡＴとの結合、及びＡＡ００５．ＤＡＴの分割を行なった状態を示している。
【０１１４】
図２０（ａ）に示すように、マルチメディア情報ファイルＡＡ００２．ＤＡＴとＡＡ００４．ＤＡＴとの結合要求に対しては、図１９とともに説明したとおり、別フォーマットであるＡＡ００２．ＤＡＺが作成され、結合前のＡＡ００２．ＤＡＴとＡＡ００４．ＤＡＴは消去される。
【０１１５】
また、図２０（ｂ）に示すように、マルチメディア情報ファイルＡＡ００５．ＤＡＴの分割要求に対しては、図１８とともに説明したとおり、ＡＡ００５．ＤＡＴのデータ本体を分割要求部分にて分割し、前半をＡＡ００５．ＤＡＴとし、後半は空きマルチメディア情報番号である００６をマルチメディア情報番号に設定した別フォーマットのＡＡ００６．ＤＡＺが作成される。
【０１１６】
以上の処理により、マルチメディア情報の数とマルチメディア情報ファイルの数とが１対１で対応するため、どのファイルがどの情報であるのかといった対応付けが簡略化される。また、別フォーマットである拡張子ＤＡＺファイルは、ＰＣ上でファイルコンバータにより、正規のマルチメディア情報ファイル（拡張子ＤＡＴ）のフォーマットに変換することによって、ＰＣ上でのプレイヤーでも再生することが可能となる。
【０１１７】
次に、上述した本発明の実施形態において、ディジタルスチルカメラ及びこれに関連するシステムで利用される画像ファイルフォーマットの規格であるＥｘｉｆ（Ｅｘｃｈａｎｇｅａｂｌｅ  ｉｍａｇｅ  ｆｉｌｅ  ｆｏｒｍａｔ）のファイル名命名規則に従った場合のマルチメディア情報ファイルと編集情報ファイルとのファイル名の命名例を、図２２とともに説明する。
【０１１８】
Ｅｘｉｆでのファイル名命名規則は、以下のとおりである。
（１）ファイルの名称は、「ファイル名」と「．」と「拡張子」とからなり、ファイル名は８文字のＡＳＣＩＩ文字列、拡張子は３文字のＡＳＣＩＩ文字列からなる。
（２）ファイル名８文字の先頭４文字は、半角英数大文字ならば自由である。
（３）ファイル名８文字中の後半４文字は、“０００１”〜“９９９９”の追番とし、ファイル番号と呼ぶ。
（４）拡張子は、フォーマット毎に統一する。
【０１１９】
ファイル名の最初の４文字は、英数半角文字であるならば自由であるので、ファイル名の最初の１文字目から３文字目までに属性情報記号列を記述し、４文字目に再生順番号をアルファベット順（Ａ、Ｂ、Ｃ、・・・の順）に記述することとする。
【０１２０】
すなわち、ファイル名８文字のうち、最初の３文字が属性情報記号列、次の１文字がアルファベット順で示した再生順番号、残り４文字で“０００１”〜“９９９９”までの追番のマルチメディア情報番号という構成になる。
【０１２１】
また、上述した本発明の第３及び第４実施形態においては、再生順番号がなく、属性情報記号列とマルチメディア情報番号とでファイル名を構成するため、Ｅｘｉｆにおけるファイル名の最初の１文字目から４文字目までの自由な領域で属性情報記号列を記述し、後半４文字のファイル番号でマルチメディア情報番号を記述する。
【０１２２】
さらに、ファイル名を構成する要素である属性情報記号列の部分に、撮影時のモードに応じた文字を当てる場合のファイル名の命名の例について、図２３とともに説明する。先頭の文字は、録画したメディア全体のビットレートを示すこととする。２８．８ｋｂ／ｓのビットレートのモードで撮影したファイルを“Ａ”とし、６４ｋｂ／ｓのビットレートのモードで撮影したファイルを“Ｂ”とし、３８４ｋｂ／ｓのビットレートのモードで撮影したファイルを“Ｃ”とする。
【０１２３】
また、２個目の文字は、動画像の符号化方式及び画素数を示すこととする。サイズＱＣＩＦで符号化方式ＭＰＥＧ４方式にて撮影したファイルを“Ａ”とし、サイズＣＩＦで符号化方式ＭＰＥＧ４方式にて撮影したファイルを“Ｂ”とし、サイズＱＣＩＦで符号化方式ＭＰＥＧ１方式にて撮影したファイルを“Ｃ”とし、サイズＣＩＦで符号化方式ＭＰＥＧ１方式にて撮影したファイルを“Ｄ”とし、動画像がデータとして無い場合は、“Ｚ”を割り当てる。
【０１２４】
３個目の文字は、音声の符号化方式を示すこととする。Ｇ．７２６方式で符号化したファイルを“Ａ”、Ｇ．７２８方式で符号化した物を“Ｂ”、ＭＰＥＧレイヤ３方式で符号化したものを“Ｃ”とし、音声がデータとして無いものは、“Ｚ”を割り当てる。
【０１２５】
このように、ファイル属性をファイル名につけるため、撮影後にＰＣにコピーして、データを再利用する際、そのファイル特性を確認するために、再度ファイルを再生しなくても済む。例えば、撮影したデータをホームページに貼り付けて映像を配布する際には、通常、モデム回線用のデータであるのか、ＩＳＤＮ回線用のデータであるのかを明示するのが普通であるが、そのためには、どのビットレートで撮影したデータであるのかが判明していなければならない。本発明によれば、その情報がファイル名から判断できるため、わざわざ再生して確認する必要が無い。
【０１２６】
また、結合したファイルを再生する際に、同じ符号化方式同士のファイルであれば、最初のファイルを再生終了後に次のファイルの再生を瞬時に開始することができるが、違う符号化方式同士のファイルであれば、最初のファイルを再生終了後に次のファイルの再生を開始するまでに、符号化方式の設定等を行なう必要があるため、ファイルのつなぎめの部分で間が空いてしまう。
【０１２７】
このため、違う符号化方式同士のファイルの結合は、行なわないようにするか、または違う符号化方式同士のファイルの結合をユーザから指示された場合は、ファイルのつなぎめで間が空くがそれでも良いか、という旨の確認を行なう必要がある。
【０１２８】
従って、結合を指示されたファイルの符号化方式を判定する必要があるが、そのためには、ファイルの制御情報を解析して、どの符号化方式で符号化されているのかを判定する必要がある。本発明によれば、どの符号化方式を使用しているのかが、ファイル名から判断できるため、わざわざファイル内部の制御情報を解析する必要はない。
【０１２９】
【発明の効果】
本願発明に係るファイル管理装置は、上述したような構成としているので、記録媒体内のファイルの一覧を見た際に、マルチメディア情報を構成しているマルチメディア情報ファイル及び編集情報ファイルとの関連付けを、ファイル名によりユーザに明示することができるため、例えば記録媒体内の編集したマルチメディア情報に関連するファイルのみを、容易に選択してＰＣ上にコピーすることが可能となる。
【０１３０】
本願発明に係るファイル管理装置は、各マルチメディア情報に対して常に１つの編集情報ファイルが存在するため、編集情報ファイルを選択することにより、所望のマルチメディア情報を再生することが可能となる。
【０１３１】
本願発明に係るファイル管理装置は、マルチメディア情報を構成するマルチメディア情報ファイルと編集情報ファイルとのマルチメディア情報番号、及び属性情報記号列が同一になり、また、マルチメディア情報ファイルの再生順に再生順番号の値が決定されるため、マルチメディア情報がどのマルチメディア情報ファイルとどの編集情報ファイルとで構成されているかの対応付け、及びマルチメディア情報ファイルの再生順を明確にすることが可能となる。
【０１３２】
本願発明に係るファイル管理装置は、マルチメディア情報を構成するマルチメディア情報ファイル及び編集情報ファイルを、マルチメディア情報毎に独立したディレクトリに移動させるため、マルチメディア情報がどのマルチメディア情報ファイルとどの編集情報ファイルとで構成されているかの対応付けを、格納ディレクトリによりユーザに明示することが可能となる。
【０１３３】
本願発明に係るファイル管理装置は、マルチメディア情報を構成するマルチメディア情報ファイルと編集情報ファイルとのマルチメディア情報番号、及び属性情報記号列が同一になるため、マルチメディア情報がどのマルチメディア情報ファイルとどの編集情報ファイルとで構成されているかの対応付けを明確にすることが可能となる。
【０１３４】
本願発明に係るファイル管理装置は、撮影時のモードをファイル名に反映することができるため、ファイル名を見るだけで、撮影時のモードを判明することが可能となる。
【０１３５】
本願発明に係るファイル管理装置は、マルチメディア情報は、タイムスタンプオフセット情報を含んだマルチメディア情報ファイル１個で構成されるため、編集情報を別ファイルで記述する必要がなくなり、マルチメディア情報がどのマルチメディア情報ファイルで構成されているかの対応付けを明確にすることが可能となる。
【０１３６】
本願発明に係るファイル管理装置は、ファイル名から独自の拡張をしているマルチメディア情報ファイルを判別することができるため、独自の拡張に対応していない再生ソフトで再生を行ってしまうことを防止することが可能となる。
【０１３７】
本願発明に係るファイル管理装置は、タイムスタンプオフセット情報を追加することの作業、及びファイル量のオーバーヘッドを軽減することができる。
【０１３８】
本願発明に係るファイル管理装置は、マルチメディア情報を構成するマルチメディア情報ファイルのマルチメディア情報番号、及び属性情報記号列を、編集結果に応じて決定するため、マルチメディア情報がどのマルチメディア情報ファイルで構成されているかの対応付けを明確にすることが可能となる。
【０１３９】
本願発明に係るファイル管理装置は、撮影時のモードをファイル名に反映することができるため、ファイル名を見るだけで、撮影時のモードを判明することが可能となる。
【図面の簡単な説明】
【図１】本発明のファイル管理装置の第１実施形態における概略構成を示すブロック図である。
【図２】本発明のファイル管理装置の第１実施形態におけるマルチメディア情報ファイル及び編集情報ファイルの命名例を示す説明図である。
【図３】本発明のファイル管理装置の第１実施形態におけるマルチメディア情報の結合例を示す説明図である。
【図４】本発明のファイル管理装置の第１実施形態におけるマルチメディア情報の結合例を示す説明図である。
【図５】本発明のファイル管理装置の第１実施形態における結合及び分割の編集処理を示すフローチャートである。
【図６】本発明のファイル管理装置の第１実施形態における編集処理後のディレクトリ構成例を示す説明図である。
【図７】本発明のファイル管理装置の第１実施形態における結合済みのマルチメディア情報をさらに結合する場合の例を示す説明図である。
【図８】本発明のファイル管理装置の第１実施形態における結合済みのマルチメディア情報を分割する場合の例を示す説明図である。
【図９】本発明のファイル管理装置の第１実施形態におけるマルチメディア情報ファイルを結合する際のフローチャートである。
【図１０】本発明のファイル管理装置の第１実施形態におけるマルチメディア情報ファイルを分割する際のフローチャートである。
【図１１】本発明のファイル管理装置の第２実施形態における結合及び分割の編集処理を示すフローチャートである。
【図１２】本発明のファイル管理装置の第２実施形態における編集処理後のディレクトリ構成例を示す説明図である。
【図１３】本発明のファイル管理装置の第３実施形態における概略構成を示すブロック図である。
【図１４】本発明のファイル管理装置の第３実施形態における結合及び分割の編集処理を示すフローチャートである。
【図１５】本発明のファイル管理装置の第３実施形態における編集処理後のディレクトリ構成例を示す説明図である。
【図１６】本発明のファイル管理装置の第４実施形態における概略構成を示すブロック図である。
【図１７】本発明のファイル管理装置の第４実施形態におけるマルチメディア情報ファイルの制御情報格納部分に付加するタイムスタンプオフセット情報のフォーマット例を示す説明図である。
【図１８】本発明のファイル管理装置の第４実施形態におけるマルチメディア情報の分割の例を示す説明図である。
【図１９】本発明のファイル管理装置の第４実施形態におけるマルチメディア情報の結合の例を示す説明図である。
【図２０】本発明のファイル管理装置の第４実施形態における結合及び分割の編集処理を示すフローチャートである。
【図２１】本発明のファイル管理装置の第４実施形態における編集処理後のディレクトリ構成例を示す説明図である。
【図２２】本発明のファイル管理装置の実施形態におけるＥｘｉｆのファイル名命名規則に従った場合のファイル命名例を示す説明図である。
【図２３】本発明のファイル管理装置の実施形態における属性情報記号列に撮影モードの文字を割り当てた場合のファイル命名例を示す説明図である。
【図２４】従来のファイル管理装置における概略構成を示すブロック図である。
【図２５】従来のファイル管理装置における結合及び分割の編集処理を示すフローチャートである。
【図２６】従来のファイル管理装置における編集処理後のディレクトリ構成例を示す説明図である。
【符号の説明】
１０１  編集要求解析部
１０２  マルチメディア情報番号決定部
１０３  再生順番号決定部
１０４  属性情報記号列決定部
１０５  マルチメディア情報ファイル分割部
１０６  マルチメディア情報ファイル名称決定部
１０７  編集情報ファイル作成部
１０８  マルチメディア情報ファイル格納ディレクトリ移動部
１０９  タイムスタンプオフセット情報記述部
１１０  マルチメディア情報ファイル分割結合部
【図１】
0003556518.tif 000002
【図２】
0003556518.tif 000003
【図３】
0003556518.tif 000004
【図４】
0003556518.tif 000005
【図５】
0003556518.tif 000006
【図６】
0003556518.tif 000007
【図７】
0003556518.tif 000008
【図８】
0003556518.tif 000009
【図９】
0003556518.tif 000010
【図１０】
0003556518.tif 000011
【図１１】
0003556518.tif 000012
【図１２】
0003556518.tif 000013
【図１３】
0003556518.tif 000014
【図１４】
0003556518.tif 000015
【図１５】
0003556518.tif 000016
【図１６】
0003556518.tif 000017
【図１７】
0003556518.tif 000018
【図１８】
0003556518.tif 000019
【図１９】
0003556518.tif 000020
【図２０】
0003556518.tif 000021
【図２１】
0003556518.tif 000022
【図２２】
0003556518.tif 000023
【図２３】
0003556518.tif 000024
【図２４】
0003556518.tif 000025
【図２５】
0003556518.tif 000026
【図２６】
0003556518.tif 000027